(57)【要約】【課題】カメラから転送される画像データを記憶する際、使用者が必要としない画像データの記憶を抑制する。【解決手段】人感センサ４０Ｂが侵入者を検出すると、親機１０にセンサ検出情報を送る。親機１０は、人感センサ４０Ｂから送られたセンサ検出情報に従って、監視カメラ３０Ｂから転送される画像データ及び音声データを画像メモリ１１６に記憶する録画動作を開始する。スマートフォン５０の画像確認アイコン７１がタップ操作されると、親機１０は、監視カメラ３０Ｂから転送される画像データ及び音声データをスマートフォン５０に送る。スマートフォン５０は、監視カメラ３０Ｂから送られた画像データをタッチパネル５０３に表示した状態において、タッチパネル５０３に表示された録画中止アイコン６８のタップ操作を受け付けると、親機１０に対し、録画動作を中止する要求信号を送る。【選択図】図１３
2015201832.tif 000002
【特許請求の範囲】
【請求項１】
撮像部を有する監視カメラと、
前記監視カメラと通信可能であり、固定電話網に接続されて他固定電話機と通話可能な親機と、
前記親機との間で無線ルータを用いて無線通信可能であり、携帯電話網を介して他携帯電話機と接続する携帯電話端末と、を備えた監視カメラシステムであって、
前記親機は、前記監視カメラに対して画像の転送を要求し、
前記監視カメラは、前記親機から画像データの転送要求を受けると、前記親機に前記撮像部で得た画像データを前記親機に転送し、
前記携帯電話端末からの画像転送要求により、前記親機は、転送された前記画像データを前記携帯電話端末に転送し、
前記携帯電話端末は、表示部を有し、前記親機から転送された前記画像データを表示することにより、前記監視カメラで得た動画画像データを前記表示部に表示させる、
監視カメラシステム。
【請求項２】
撮像部を有する監視カメラと、
前記監視カメラと通信可能であり、固定電話網に接続されて他固定電話機と通話可能な親機と、
前記親機との間で無線ルータを用いて無線通信可能であり、携帯電話網を介して他携帯電話機と接続する携帯電話端末と、を備えた監視カメラシステムを利用した監視方法であって、
前記親機は、前記監視カメラに対して画像の転送を要求するステップを実行し、
前記監視カメラは、前記親機から画像データの転送要求を受けると、前記親機に前記撮像部で得た画像データを前記親機に転送するステップを実行し、
前記携帯電話端末からの画像転送要求により、前記親機は、転送された前記画像データを前記携帯電話端末に転送するステップを実行し、
前記携帯電話端末は、表示部を有し、前記親機から転送された前記画像データを表示するステップを実行することにより、前記監視カメラで得た動画画像データを前記表示部に表示させる、
監視カメラシステムを利用した監視方法。
【発明の詳細な説明】
【技術分野】
【０００１】
本発明は、カメラとの間でデータの入出力を行う監視カメラシステム及び監視カメラシステムを利用した監視方法に関する。
【背景技術】
【０００２】
従来、カメラとの間でデータの入出力を行う通信システムの一例として、宅内の敷地に入ってきた侵入者を監視する監視カメラシステムが知られている（特許文献１参照）。特許文献１に示す監視カメラシステムは、録画・録音可能なホームサーバと、赤外線センサと、ビデオカメラと、マイクロホンとを備える。赤外線センサが侵入者を検出した場合、ホームサーバは、ビデオカメラ及びマイクロホンを用いて、侵入者に関する映像を録画するとともに、侵入者に関する音声を録音する。
【先行技術文献】
【特許文献】
【０００３】
【特許文献１】特開２０００−９９８６２号公報
【発明の概要】
【発明が解決しようとする課題】
【０００４】
しかしながら、上述した特許文献１では、センサが侵入者を検出した場合、ビデオカメラで撮像された映像を示す画像データ、マイクロホンにより収音された音声の音声データは、ホームサーバにより単に記録されるだけであった。
【０００５】
また、センサが対象（侵入者）を検出してから検出されなくなるまでの画像データを、全て記録媒体に記録しておくと、そのデータ量は膨大であった。
【０００６】
また、必要でないシーンの画像データも時系列に記録されてしまうので、記録後、使用者が記録媒体に記録された画像データを再生して内容を確認する作業に長時間を要した。記録された画像データを編集する場合には、その作業にも多くの手間を要することになる。なお、長時間の画像データを録画するためには、大容量の記録媒体を必要とした。
【０００７】
本発明は、従来の問題を解決するために、カメラから転送される画像データを記憶する際、簡易な操作により、使用者が必要としない画像データの記憶を抑制する監視カメラシステム及び監視カメラシステムを利用した監視方法を提供することを目的とする。
【課題を解決するための手段】
【０００８】
本発明は、撮像部を有する監視カメラと、前記監視カメラと通信可能であり、固定電話網に接続されて他固定電話機と通話可能な親機と、前記親機との間で無線ルータを用いて無線通信可能であり、携帯電話網を介して他携帯電話機と接続する携帯電話端末と、を備えた監視カメラシステムであって、前記親機は、前記監視カメラに対して画像の転送を要求し、前記監視カメラは、前記親機から画像データの転送要求を受けると、前記親機に前記撮像部で得た画像データを前記親機に転送し、前記携帯電話端末からの画像転送要求により、前記親機は、転送された前記画像データを前記携帯電話端末に転送し、前記携帯電話端末は、表示部を有し、前記親機から転送された前記画像データを表示することにより、前記監視カメラで得た動画画像データを前記表示部に表示させる、監視カメラシステムである。
【０００９】
また、本発明は、撮像部を有する監視カメラと、前記監視カメラと通信可能であり、固定電話網に接続されて他固定電話機と通話可能な親機と、前記親機との間で無線ルータを用いて無線通信可能であり、携帯電話網を介して他携帯電話機と接続する携帯電話端末と、を備えた監視カメラシステムを利用した監視方法であって、前記親機は、前記監視カメラに対して画像の転送を要求するステップを実行し、前記監視カメラは、前記親機から画像データの転送要求を受けると、前記親機に前記撮像部で得た画像データを前記親機に転送するステップを実行し、前記携帯電話端末からの画像転送要求により、前記親機は、転送された前記画像データを前記携帯電話端末に転送するステップを実行し、前記携帯電話端末は、表示部を有し、前記親機から転送された前記画像データを表示するステップを実行することにより、前記監視カメラで得た動画画像データを前記表示部に表示させる、監視カメラシステムを利用した監視方法である。
【発明の効果】
【００１０】
本発明によれば、カメラから転送される画像データを記憶する際、使用者が必要としない画像データの画像記憶部への記憶を抑制することができる。
【図面の簡単な説明】
【００１１】
【図１】実施の形態における監視カメラシステムのシステム構成を示す図
【図２】親機の内部構成を示すブロック図
【図３】子機の内部構成を示すブロック図
【図４】カメラの内部構成を示すブロック図
【図５】センサの内部構成を示すブロック図
【図６】スマートフォンの内部構成を示すブロック図
【図７】ホームセキュリティ用のアプリケーションとして起動され、監視カメラの録画中でない時に表示されるスマートフォンのライブモニタ画面の例を示す図
【図８】（Ａ）〜（Ｃ）監視カメラのアプリケーションを起動する際のスマートフォン５０の画面の遷移を示す図
【図９】監視カメラの録画中の時に表示されるスマートフォンのライブモニタ画面を示す図
【図１０】（Ａ）〜（Ｃ）待ち受け画面の表示中に人感センサが対象を検出した際のスマートフォンの画面の遷移を示す図
【図１１】（Ａ）〜（Ｃ）ホームセキュリティのアプリケーションのホーム画面を表示中に人感センサが対象を検出した際のスマートフォンの画面の遷移を示す図
【図１２】監視カメラシステムの動作の流れを説明するシーケンス図
【図１３】監視カメラシステムの動作の流れを説明するシーケンス図
【図１４】親機の動作手順を説明するフローチャート
【発明を実施するための形態】
【００１２】
以下、本発明に係る携帯端末及び通信システムの実施形態（以下、「本実施形態」という）について、図面を参照しながら説明する。以下の本実施形態では、本発明に係る通信システムの一例として、ホームセキュリティ等に用いられる監視カメラシステムを例示して説明する。なお、なお、本発明は、通信システムに限定されず、通信システムを構成する各装置又は各装置における方法として表現することも可能である。
【００１３】
図１は、本実施形態の監視カメラシステム５のシステム構成を示す図である。監視カメラシステム５は、主に宅内８に設置されており、親機１０と、２台の子機２０Ａ，２０Ｂと、２台のカメラ（屋内カメラ３０Ａ，監視カメラ３０Ｂ）と、各種センサ（具体的には、人感センサ４０Ａ，４０Ｂ，煙センサ４０Ｃ，開閉センサ４０Ｄ）と、スマートフォン５０と、無線ルータ６０とを含む構成である。なお、この監視カメラシステム５の構成は一例であり、種々の態様に変更可能である。
【００１４】
親機（ゲートウェイ）１０は、監視カメラシステム５の全体の動作を制御する制御装置であり、ＤＥＣＴ（Digital Enhanced Cordless Telecommunications）の通信方式を用いて、子機、カメラ、センサ等と通信可能に接続される。また、親機１０は、無線ＬＡＮを用いた無線ルータ６０を介してインターネット６５（ネットワーク）に接続される。また、親機１０は、有線で固定電話網８５に接続され、固定電話機８０と通話可能である。また、親機１０は、差込口１０ａに挿入された子機２０Ａを充電する機能を有する。
【００１５】
子機２０Ａ，２０Ｂは、ＤＥＣＴの通信方式で親機１０と接続され、親機１０と通話可能である。特に、２台の子機２０Ａ，２０Ｂを区別する必要が無い場合、子機２０と総称する。
【００１６】
各種センサ４０（具体的には、人感センサ４０Ａ，４０Ｂ，煙センサ４０Ｃ，開閉センサ４０Ｄ）は、ＤＥＣＴの通信方式で親機１０と接続される。ここでは、センサとして、窓の開閉を検出する開閉センサ４０Ｄ、煙を感知する煙センサ４０Ｃ、及び赤外線によって人を感知する人感センサ４０Ａ，４０Ｂが用いられる。特に、これらのセンサの種類を区別する必要が無い場合、センサ４０と総称する。また、後述するように、カメラ３０に内蔵された赤外線センサ３１３（図４参照）も、人感センサとして用いられる。
【００１７】
２台のカメラ（屋内カメラ３０Ａ，監視カメラ）３０Ｂは、通話機能を有し、ＤＥＣＴの通信方式で親機１０と接続される。ここでは、カメラとして、屋外を撮像する監視カメラ３０Ｂ、及び宅内８を撮像する屋内カメラ３０Ａが用いられる。特に、カメラの種類を区別する必要が無い場合、カメラ３０と総称する。
【００１８】
スマートフォン５０は、無線ＬＡＮを用いた無線ルータ６０を介して親機１０と接続され、また、３Ｇ（第３世代）等の通信方式を用いた携帯電話網７５を介して携帯電話機７０や他のスマートフォン等と接続される。
【００１９】
図２は、親機１０の内部構成を示すブロック図である。親機１０は、制御部１０９と、記憶部１０３と、操作部１０５と、表示部１０６とを含む構成である。親機１０は、各種の入力操作を受け付け、また、親機１０は、表示部１０６に画像等の情報を表示する。制御部１０９は、呼制御部１１０及び音声ストリーム処理部１１２を内蔵し、通話の呼制御や音声データの処理等を行う。
【００２０】
また、親機１０は、画像メモリ制御部１１５と、画像メモリ１１６とを有し、カメラ３０で撮像された画像データ等を画像メモリ１１６に記憶する。
【００２１】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等と画像データ及び音声データを送受信する。
【００２２】
また、親機１０は、ＤＥＣＴプロトコル制御部１０８と、ＤＥＣＴ無線Ｉ／Ｆ部１０７とを有し、ＤＥＣＴ（Digital Enhanced Cordless Telecommunications）の無線方式を用いて、子機２０、センサ４０及びカメラ３０と無線接続を行う。
【００２３】
また、親機１０は、音声バス１１７と、音声入出力制御部１０４と、スピーカ１２９と、マイク１２８とを有し、外部に対して音声の入出力を行う。
【００２４】
また、親機１０は、固定電話回線Ｉ／Ｆ部１０１を有し、固定電話網８５に接続された外部の固定電話機８０と通話可能である。
【００２５】
また、親機１０は、子機／携帯端末充電部１２６を有し、差込口１０ａに挿入された子機２０あるいはスマートフォン５０を充電する。
【００２６】
また、親機１０は、ＵＳＢ通信Ｉ／Ｆ部１２７を有し、ＵＳＢ（Universal Serial Bus）規格のインタフェースを有する機器やメモリ等とデータを送受信する。
【００２７】
また、親機１０は、各種センサ４０と複数のカメラ３０をそれぞれ関連付けて記憶部１０３に登録する。例えば、人感センサ４０Ｂと監視カメラ３０Ｂは、屋外の近接した場所に設置されているので、関連付けて登録される。また、監視カメラ３０Ｂは、後述するように、人感センサである赤外線センサ３１３（図４参照）を一体として内蔵するので、この赤外線センサ３１３とも関連付けて登録される。また、人感センサ４０Ａと、煙センサ４０Ｃと、開閉センサ４０Ｄとは、いずれも宅内８に設置されているので、屋内カメラ３０Ａとそれぞれ関連付けて登録される。
【００２８】
図３は、子機２０の内部構成を示すブロック図である。子機２０は、制御部２４７と、記憶部２４２と、操作部２４４と、表示部２４５とを含む構成である。子機２０は、各種の入力操作を受け付け、表示部２４５に画像等の情報を表示する。
【００２９】
また、子機２０は、ＤＥＣＴプロトコル制御部２４９と、ＤＥＣＴ無線Ｉ／Ｆ部２４８とを有し、ＤＥＣＴの無線方式を用いて親機１０、センサ４０及びカメラ３０と無線接続を行う。
【００３０】
また、子機２０は、音声バス２５５と、音声入出力制御部２４３と、スピーカ２５２と、マイク２５１とを有し、外部に対して音声の入出力を行う。
【００３１】
図４は、カメラ３０の内部構成を示すブロック図である。カメラ３０の一例としての屋内カメラ３０Ａ及び監視カメラ３０Ｂは、いずれもほぼ同じ仕様を有する。カメラ３０は、制御部３０９と、記憶部３０３と、操作部３０５とを含む構成である。カメラ３０は、撮像に関する動作を行うとともに、入力操作を受け付ける。
【００３２】
また、カメラ３０は、ＤＥＣＴプロトコル制御部３１７と、ＤＥＣＴ無線Ｉ／Ｆ部３１８とを有し、ＤＥＣＴの無線方式を用いて親機１０と無線接続を行う。
【００３３】
また、カメラ３０は、無線ＬＡＮ制御部３２１と、無線ＬＡＮ通信Ｉ／Ｆ部３２２とを有し、無線ＬＡＮで接続された無線ルータ６０を介して親機１０、スマートフォン５０等と画像データ及び音声データを送受信する。
【００３４】
また、カメラ３０は、音声バス３０７と、音声入出力制御部３０４と、スピーカ３２９と、マイク３２８とを有し、外部に対して音声の入出力を行う。
【００３５】
また、カメラ３０は、撮像部３１２と、画像メモリ制御部３１６と、画像メモリ３１５とを有し、撮像部３１２で撮像された画像データを画像メモリ３１５に記憶する。撮像部３１２は、レンズ及び撮像素子（例えば、ＣＣＤ（Charged Coupled Device）、又はＣＭＯＳ（Complementary Metal Oxide Semiconductor）等のイメージセンサ）を有する。
【００３６】
また、カメラ３０は、人感センサとして、ＰＩＲ（Passive Infra Red）センサである赤外線センサ３１３を一体に内蔵する。赤外線センサ３１３は、人が発する熱（赤外線）の変化を検出して人の存在を感知する。カメラ３０は、商用交流を電源とする電源部３１４を有する。
【００３７】
図５は、センサ４０の内部構成を示すブロック図である。センサ４０は、制御部４４７と、記憶部４４２と、表示ランプ４４５とを含む構成である。センサ４０は、対象（例えば侵入者。以下同様。）を検出した場合に、表示ランプ４４５を点灯する等、所定の検出動作を行う。
【００３８】
また、センサ４０は、ＤＥＣＴプロトコル制御部４４９と、ＤＥＣＴ無線Ｉ／Ｆ部４４８とを有し、ＤＥＣＴの無線方式で親機１０と無線接続を行い、対象を検出すると、センサ検出情報を親機１０に送る。
【００３９】
センサ部４５３は、センサ４０の種類によって異なる。例えば、人感センサ４０Ａ
，４０Ｂの場合、センサ部４５３は、赤外線の変化によって人を感知するＰＩＲセンサである。窓等の開閉を検出する開閉センサ４０Ｄの場合、センサ部４５３は、開閉によってオン／オフに切り替わるリードスイッチである。煙センサ４０Ｃの場合、センサ部４５３は、発光した光が煙によって遮光されることで煙を感知する発光・受光部である。
【００４０】
充電池４５０は、充電可能な電池であり、各部に電力を供給する。
【００４１】
図６は、スマートフォン５０の内部構成を示すブロック図である。スマートフォン５０は、制御部５０６と、記憶部５０４と、表示／操作部（タッチパネル）５０３とを含む構成である。スマートフォン５０は、各種の入力操作を受け付け、タッチパネル５０３に画像等の情報を表示する。制御部５０６は、後述するように、カメラ３０の機能を設定可能な監視機能制御部５１４を内蔵する。タッチパネル５０３は、表示部及び操作部が一体化された表示入力部であり、画面に画像やアイコン等の情報を表示するとともに、使用者による画面へタップ操作（又はタッチ操作）を受け付ける。
【００４２】
また、スマートフォン５０は、３Ｇプロトコル制御部５０２と、３Ｇ無線Ｉ／Ｆ部５０１とを有し、３Ｇ（第３世代）の無線通信方式を用いて、携帯電話網７５に接続された携帯電話機７０や他のスマートフォンと無線接続を行う。
【００４３】
また、スマートフォン５０は、音声バス５１５と、音声入出力制御部５０５と、スピーカ５１３と、マイク５１２とを有し、外部に対して音声の入出力を行う。
【００４４】
また、スマートフォン５０は、無線ＬＡＮ制御部５０７と、無線ＬＡＮ通信Ｉ／Ｆ部５０８とを有し、無線ＬＡＮで接続された無線ルータ６０を介して親機１０、カメラ３０等と画像データ及び音声データを送受信する。
【００４５】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００４６】
上述した構成を有する監視カメラシステム５の動作を説明する。
【００４７】
始めに、スマートフォン５０の動作について説明する。使用者によって、スマートフォン５０にインストールされているホームセキュリティ用のアプリケーションとして登録されている監視カメラのアプリケーションが起動された場合を示す。
【００４８】
図７は、ホームセキュリティ用のアプリケーションとして起動され、監視カメラ３０Ｂの録画中でない時に表示されるライブモニタ画面の例を示す。このアプリケーションの起動によって表示されるタッチパネル５０３の中央部には、カメラ３０で撮像された画像（動画像）５５が表示される。また、タッチパネル５０３の画面には、カメラアイコン５１、スピーカアイコン５２、ミュートアイコン５３及び切断アイコン５４がタップ操作可能に表示される。
【００４９】
カメラアイコン５１は、カメラ３０の録画開始を指示し、カメラ３０の機能を設定する際に使用されるアイコンである。
【００５０】
スピーカアイコン５２は、スマートフォン５０に搭載されたスピーカ５１３の音量を切り替えるためのアイコンであり、起動時にオン状態にある。スピーカアイコン５２に対するタップ操作が行われる度、スピーカアイコン５２はオン状態／オフ状態に切り替えられる。ここでは、スピーカアイコン５２は、例えばオン状態で緑色に表示され、オフ状態で白色に表示される。
【００５１】
スピーカアイコン５２のオン状態とは、スピーカ５１３の音量が大きく設定された状態であり、通常のモニタやハンドフリー通話（スピーカホン通話）に適する。
【００５２】
一方、スピーカアイコン５２のオフ状態とは、スピーカ５１３の音量が耳元で聴くような小さく設定された状態であり、音声モニタやハンズセット通話に適する。
【００５３】
ミュートアイコン５３は、スマートフォン５０に搭載されたマイク５１２のオン／オフを切り替えるためのアイコンであり、起動時にオン状態、つまりマイク５１２の無効（消音）状態にある。ミュートアイコン５３に対するタップ操作が行われる度、ミュートアイコン５３はオン状態／オフ状態に交互に切り替えられる。ここでは、ミュートアイコン５３は、スピーカアイコン５２と同様、オン状態で緑色に表示され、オフ状態で白色に表示される。
【００５４】
切断アイコン５４は、「Ｄｉｓｃｏｎｎｅｃｔ」の文字が記された、カメラ３０との接続を遮断するためのアイコンであり、起動時にオフ状態、つまり接続状態にある。
【００５５】
図８（Ａ）〜（Ｃ）は、アプリケーションを起動する際のスマートフォン５０の画面の遷移を示す図である。図９は監視カメラ３０Ｂの録画中の時に表示されるスマートフォン５０のライブモニタ画面を示す図である。
【００５６】
図８（Ａ）は、タッチパネル５０３に表示される待ち受け画面を示す。この待ち受け画面では、ホームセキュリティのアプリケーションを起動するホームセキュリティアイコン５６の他、各種のアイコン５７がタップ操作可能に表示されている。また、タッチパネル５０３の左上隅には、録画中を表す録画アイコン５８が表示されている。
【００５７】
なお、本実施形態では、親機１０が監視カメラ３０Ｂから転送される画像データ及び音声データを画像メモリ１１６に記憶する動作を録画動作と称し、この録画動作には、録音も含まれる。
【００５８】
ホームセキュリティアイコン５６がタップ操作されると、図８（Ｂ）に示すように、タッチパネル５０３には、ログイン画面５９が表示される。ここでは、ログイン画面５９に表示されたボックスにＩＤ及びパスワードが入力されると、ホームセキュリティのアプリケーションが起動する。ホームセキュリティのアプリケーションが起動すると、タッチパネル５０３には、図８（Ｃ）に示すように、このアプリケーションのホーム画面が表示される。ホーム画面には、監視カメラアイコン６１を含む各種アイコン群６３及び各種キー群６４が表示される。このホーム画面においても、タッチパネル５０３の左上隅には、録画中を表す録画アイコン５８が表示されたままである。
【００５９】
使用者が監視カメラアイコン６１をタップ操作すると、監視カメラのアプリケーションが起動され、図９に示すように、タッチパネル５０３の画面中央部には、監視カメラ３０Ｂによって撮像される画像（ライブ画像）５５が表示される。また、タッチパネル５０３の画面下方には、前述したスピーカアイコン５２、ミュートアイコン５３及び切断アイコン５４の他、ライブモニタ画面（図７参照）と異なり、録画の中止を指示する録画中止アイコン６８が表示される。この録画中止アイコン６８がタップ操作されると、後述するように、親機１０は録画を中止する。そして、録画が中止されると、タッチパネル５０３の左上隅に表示されていた録画アイコン５８は消え、さらに、録画中止アイコン６８の代わりにカメラアイコン５１が表示された画面（図７参照）に切り替わる。
【００６０】
図１０（Ａ）〜（Ｃ）は、待ち受け画面の表示中に人感センサ４０Ｂが対象を検出した際のスマートフォン５０の画面の遷移を示す図である。図１０（Ａ）は、タッチパネル５０３に表示される待ち受け画面を示す。この待ち受け画面では、前述したように、ホームセキュリティのアプリケーションを起動するホームセキュリティアイコン５６の他、各種のアイコン５７がタップ操作可能に表示されている。なお、人感センサ４０Ｂが対象を検出する前であるので、タッチパネル５０３の左上隅には、録画中を表す録画アイコン５８は表示されていない。
【００６１】
待ち受け画面の表示中、人感センサ４０Ｂによって対象が検出されると、タッチパネル５０３は、図１０（Ｂ）又は図１０（Ｃ）に示す録画中止制御画面を表示する。いずれの録画中止制御画面を選択するかは、予め使用者によって任意に設定可能である。なお、親機１０が録画中止制御画面を選択する信号を送信し、この信号に従って、録画中止制御画面が選択されてもよい。
【００６２】
また、録画中止制御画面に切り替わると、スマートフォン５０は、スピーカ５１３を鳴動させ、所定時間（例えば３分間）報知音で使用者に録画を開始したことを知らせる。さらに、タッチパネル５０３の左上隅には、録画中を表す録画アイコン５８が表示される。
【００６３】
図１０（Ｂ）及び図１０（Ｃ）に示すいずれの録画中止制御画面においても、画像確認アイコン７１及び鳴動停止アイコン７２が表示される。図１０（Ｃ）に示す録画中止制御画面では、屋外の監視カメラ３０Ｂで撮像される画像データを録画中であることを表す「Outdoor camera is recording」のメッセージが表示される。
【００６４】
画像確認アイコン７１は、録画中の画像を確認するために使用される。使用者によって画像確認アイコン７１がタップ操作されると、タッチパネル５０３は、前述した図８（Ｂ）に示すログイン画面５９に遷移する。ログイン画面５９でユーザＩＤ及びパスワードが入力され、さらに、図８（Ｃ）に示すホーム画面で監視カメラアイコン６１がタップ操作されると、図９に示すように、録画中の画像５５が表示される。使用者は、ライブの画像５５を確認し、不要と判断すると、録画中止アイコン６８をタップ操作することで、録画を中止できる。
【００６５】
鳴動停止アイコン７２は、「Ｓｔｏｐ」の文字が記されたアイコンであり、スマートフォン５０及び親機１０による報知音の鳴動を停止させるために使用される。人感センサ４０Ｂの検出により親機１０が鳴動するように動作させた場合、例えば使用者が画像を確認したことによって問題無しと判断すると、この鳴動停止アイコン７２をタップ操作することで、スマートフォン５０及び親機１０の鳴動を停止できる。
【００６６】
また、前述したように、使用者によって録画中止アイコン６８がタップ操作されると、録画が中止され、図１０（Ａ）に示す元の待ち受け画面に戻る。また、録画の中止が完了すると、タッチパネル５０３の左上隅に表示されていた録画アイコン５８は消える。このように、録画中止制御画面を表示することで、使用者は録画中止あるいは録画中の画像の確認を素早く行うことができる。
【００６７】
図１１（Ａ）〜（Ｃ）は、ホームセキュリティのアプリケーションのホーム画面を表示中に人感センサ４０Ｂが対象を検出した際のスマートフォン５０の画面の遷移を示す図である。図１１（Ａ）は、タッチパネル５０３に表示されるホーム画面を示す。
【００６８】
このホーム画面では、前述したように、監視カメラアイコン６１を含む各種アイコン群６３及び各種キー群６４がタップ操作可能に表示されている。なお、人感センサ４０Ｂが対象を検出する前であるので、タッチパネル５０３の左上隅には、録画中を表す録画アイコン５８は表示されていない。
【００６９】
ホーム画面の表示中、人感センサ４０Ｂによって対象が検出されると、タッチパネル５０３は、図１０（Ｂ）及び図１０（Ｃ）と同様、図１１（Ｂ）又は図１１（Ｃ）に示す録画中止制御画面を表示する。
【００７０】
また、録画中止制御画面に切り替わると、スマートフォン５０は、スピーカ５１３を鳴動させ、所定時間（例えば３分間）報知音で使用者に録画が開始されたことを知らせる。さらに、タッチパネル５０３の左上隅には、録画中を表す録画アイコン５８が表示される。
【００７１】
図１１（Ｂ）及び図１１（Ｃ）に示すいずれの録画中止制御画面においても、画像確認アイコン７１及び鳴動停止アイコン７２が表示される。図１１（Ｃ）に示す録画中止制御画面では、屋外の監視カメラ３０Ｂで撮像される画像データを録画中であることを表す「Outdoor camera is recording」のメッセージが表示される。
【００７２】
画像確認アイコン７１は、録画中の画像を確認するために使用される。使用者によって画像確認アイコン７１がタップ操作されると、既にホームセキュリティのアプリケーションにログイン済みであるので、図９に示す録画中の画像５５が表示される。使用者は、ライブの画像５５を確認し、不要と判断すると、録画中止アイコン６８をタップ操作することで、録画を中止できる。
【００７３】
録画中止アイコン６８は、すぐに録画を中止するために使用される。使用者によって録画中止アイコン６８がタップ操作されると、録画が中止され、図１１（Ａ）に示す元のホーム画面に戻る。録画の中止が完了すると、タッチパネル５０３の左上隅に表示されていた録画アイコン５８は消える。
【００７４】
このように、録画中止制御画面を表示することで、使用者は録画中止あるいは録画中の画像の確認を素早く行うことができる。
【００７５】
次に、監視カメラシステム５の動作の流れについて、図１２及び図１３を参照して説明する。
【００７６】
図１２及び図１３は、監視カメラシステム５の動作の流れを説明するシーケンス図である。ここでは、屋外に設置された人感センサ４０Ｂ及び監視カメラ３０Ｂを用いて、侵入者等（対象）を監視する動作について説明する。ここで、人感センサ４０Ｂによって対象が検出された場合、親機１０が自動で録画を開始する自動録画モードは、使用者によって任意に設定可能である。
【００７７】
始めに、自動録画モードが設定されていない場合の動作の流れを示す。自動録画モードが設定されていない場合とは、センサとの連携が設定されていない場合であり、人感センサ４０Ｂが人物を検出しても、自動で録画は開始されない。
【００７８】
図１２に示すように、人感センサ４０Ｂが、屋外に存在する人物を検出すると、その検出信号及びセンサ検出情報を親機１０に送信する（Ｓ１０１）。親機１０は、人感センサ４０Ｂからセンサ検出情報を受信すると、無線ＬＡＮを用いてスマートフォン５０と無線接続し（Ｓ１０２）、接続が完了すると、スマートフォン５０にセンサ検出情報を送信する（Ｓ１０３Ａ）。
【００７９】
また、親機１０は、監視カメラ３０Ｂに対し、画像／音声データの転送を要求する（Ｓ１０３Ｂ）。監視カメラ３０Ｂは、画像／音声データの転送要求を受けると、無線ＬＡＮを用いて親機１０と接続し、撮像部３１２で撮像した画像データ及びマイク３２８で収音した音声データを親機１０に転送する（Ｓ１０４）。
【００８０】
スマートフォン５０は、使用者から、監視カメラのアプリケーションを起動させる等のモニタ指示を受け付けると（Ｓ１０５−１）、親機１０に対し、画像／音声データの転送を要求する（Ｓ１０５−２）。親機１０は、スマートフォン５０から画像／音声データの転送要求に応じ、監視カメラ３０Ｂから転送された画像データ及び音声データをスマートフォン５０に転送する（Ｓ１０６）。これにより、スマートフォン５０は、ライブモニタ画面（図７参照）を表示する。
【００８１】
次に、自動録画モードが設定されている場合の動作の流れを説明する。自動録画モードが設定されている場合とは、センサとの連携が設定されている場合であり、人感センサ４０Ｂが人物を検出すると、自動で録画は開始される。
【００８２】
図１３に示すように、人感センサ４０Ｂが、屋外に存在する人物を検出すると、その検出信号及びセンサ検出情報を親機１０に送信する（Ｓ１０７）。親機１０は、人感センサ４０Ｂからセンサ検出情報を受信すると、無線ＬＡＮを用いてスマートフォン５０と無線接続し、接続が完了すると、スマートフォン５０にセンサ検出情報を送信する（Ｓ１０８Ａ）。
【００８３】
また、親機１０は、監視カメラ３０Ｂに対し、画像／音声データの転送を要求する（Ｓ１０８Ｂ）。監視カメラ３０Ｂは、画像／音声データの転送要求を受けると、無線ＬＡＮを用いて親機１０と接続し、撮像部３１２で撮像した画像データ及びマイク３２８で収音した音声データを親機１０に転送する（Ｓ１０９）。
【００８４】
親機１０は、監視カメラ３０Ｂから転送された画像データ及び音声データを画像メモリ１１６（画像記憶部）に記憶する動作を開始する（Ｓ１１０）。この時、報知音を鳴動するように親機１０の動作が設定されている場合、親機１０は鳴動する。そして、親機１０は、スマートフォン５０に対し、録画開始を示す情報を送信する（Ｓ１０８Ｃ）。さらに、親機１０は、スマートフォン５０に対し、録画中止制御画面（録画アイコン５８を含む）を表示するように指示する（Ｓ１１１）。
【００８５】
スマートフォン５０は、この指示を受けると、タッチパネル５０３に、図１０（Ｂ）、（Ｃ）、図１１（Ｂ）、（Ｃ）に示す録画中止制御画面を表示する（Ｓ１１２）。この時、スマートフォン５０は、スピーカ５１３を鳴動させ、所定時間（例えば３分間）報知音で使用者に録画を開始したことを知らせる。
【００８６】
スマートフォン５０は、この録画中止制御画面が表示されている状態において、使用者によって鳴動停止アイコン７２がタップ操作されると（Ｓ１１３）、親機１０に対し、鳴動停止要求を送信する（Ｓ１１４）。親機１０は、この鳴動停止要求を受けると、スピーカ１２９の鳴動を停止する（Ｓ１１５）。また、スマートフォン５０はスピーカ５１３の鳴動を停止する（Ｓ１１５Ａ）。
【００８７】
一方、スマートフォン５０は、録画中止制御画面が表示されている状態において、使用者によって画像表示を指示するための「Ｃａｍｅｒａ」で表記された画像確認アイコン７１がタップ操作されると（Ｓ１１６）、親機１０に対し、画像／音声データの転送を要求する（Ｓ１１７）。親機１０は、スマートフォン５０から画像／音声データの転送要求に応じ、録画中の画像データ及び音声データをスマートフォン５０に転送する（Ｓ１１８）。
【００８８】
スマートフォン５０は、親機１０から録画中の画像データ及び音声データを受けると、図９に示すように、録画中の画像を表示する（Ｓ１１９）。スマートフォン５０は、この録画中の画像が表示されている状態において、使用者によって録画中止アイコン６８がタップ操作されると（Ｓ１２０）、親機１０に対し、録画動作中止要求を送る（Ｓ１２１）。
【００８９】
親機１０は、この録画動作中止要求に従って、監視カメラ３０Ｂから転送された画像データ及び音声データを画像メモリ１１６に記憶する動作（記憶動作）を中止する（Ｓ１２２）。
【００９０】
図１４は、親機１０の動作手順を説明するフローチャートである。親機１０は、人感センサ４０Ｂからの検出信号をトリガとして、本動作を開始する。
【００９１】
図１４において、まず、親機１０は、人感センサ４０Ｂからセンサ検出情報を取得する（Ｓ１）。親機１０は、監視カメラ３０Ｂから転送される画像データ及び音声データを画像メモリ１１６に記憶する録画動作を開始する（Ｓ２）。
【００９２】
親機１０は、スマートフォン５０から画像データ及び音声データの転送要求があったか否かを判別する（Ｓ３）。この転送要求があった場合、親機１０は、監視カメラ３０Ｂから転送された画像データ及び音声データをスマートフォン５０に転送し、また、録画開始を示す情報を送信し、かつ、録画中止アイコン（録画操作停止ボタン）６８を含む録画中止制御画面を表示するように指示する（Ｓ４）。
【００９３】
親機１０は、録画中止アイコン６８が押下（タップ操作）されるまで待つ（Ｓ５）。録画中止アイコン６８が押下されると、親機１０は、録画動作を中止する（Ｓ７）。この後、親機１０は本動作を終了する。
【００９４】
一方、ステップＳ３でスマートフォン５０から画像データ及び音声データの転送要求が無かった場合、親機１０は、一定時間が経過するまで待つ（Ｓ６）。一定時間が経過すると、親機１０は、ステップＳ７で録画動作を中止する。なお、ここでは、一定時間が経過すると、自動的に録画を中止にしていたが、一定時間経過前であっても、人感センサ４０Ｂが対象を検出しなくなった時点で自動的に録画を中止するようにしてもよい。
【００９５】
この後、親機１０は本動作を終了する。そして、再び、人感センサ４０Ｂからの検出信号をトリガとして起動するまで、親機１０はスタンバイ状態となる。
【００９６】
このように、本実施形態の監視カメラシステム５では、人感センサ４０Ｂが侵入者（対象）を検出すると、親機１０にセンサ検出情報を送る。親機１０は、人感センサ４０Ｂから送られたセンサ検出情報をスマートフォン５０に転送するとともに、人感センサ４０Ｂと関連付けて登録された監視カメラ３０Ｂに対し、画像データを転送するように指示する信号を送る。親機１０は、人感センサ４０Ｂから送られたセンサ検出情報に従って、監視カメラ３０Ｂから転送される画像データ及び音声データを画像メモリ１１６に記憶する録画動作を開始する。スマートフォン５０は、画像確認アイコン７１がタップ操作されると、この操作の情報を親機１０に送る。親機１０は、この操作の情報に従って、監視カメラ３０Ｂから転送される画像データ及び音声データをスマートフォン５０に送る。スマートフォン５０は、監視カメラ３０Ｂから送られた画像データをタッチパネル５０３に表示した状態において、タッチパネル５０３に表示された録画中止アイコン６８に対するタップ操作を受け付けると、親機１０に対し、録画動作を中止する要求信号を送る。
【００９７】
従って、本実施形態の監視カメラシステム５によれば、親機１０がカメラから転送される画像データ及び音声データを画像メモリ１１６に記憶する録画動作を行う際、使用者は、親機１０に対し、録画を中止するように指示することができる。これにより、監視カメラシステム５は、使用者が必要としない画像データの録画を抑制することができる。
【００９８】
また、監視カメラシステム５は、使用者が必要としない画像データ及び音声データを記憶しないので、使用者が画像データを再生して内容を確認する時間を短くすることができる。また、監視カメラシステム５は、使用者が必要としない画像データのシーンをカットする等の編集作業を容易に行わせることができる。さらには、監視カメラシステム５は、記憶部１０３への画像メモリ１１６の記憶容量を抑えることもできる。
【００９９】
また、親機１０は、スマートフォン５０から録画を中止する要求信号があると、録画動作を中止するので、録画の中止が確実に行われる。
【０１００】
また、センサ４０として、１つの筺体に、監視カメラ３０Ｂと一体に人感センサ４０Ｂを内蔵してもよい。また、人感センサとして、監視カメラ３０Ｂに一体に内蔵された赤外線センサ３１３を用いてもよい。これにより、監視カメラシステム５は、カメラとセンサの関連付けを容易に行わせることができる。
【０１０１】
また、スマートフォン５０のタッチパネル５０３の画面に、録画アイコン５８が表示されるので、使用者は録画中であることに気付くことができる。
【０１０２】
また、録画の開始時期に録画アイコン５８が表示されるので、使用者は素早く対応することができる。
【０１０３】
また、センサ４０が対象を検出した場合に録画が開始されるので、記憶される画像データの量を抑制できる。
【０１０４】
また、スマートフォン５０は、センサ４０の検出に応じて親機１０から送られる通知に従って、スピーカ５１３によって報知音を鳴動させるので、使用者は、音によってセンサ４０の検出と録画の開始を知ることができる。
【０１０５】
また、カメラ３０とセンサ４０が別体である場合、カメラとセンサの配置の自由度が高まる。
【０１０６】
また、使用者は、遠方の場所に居ても、スマートフォン５０で画像の確認と録画中止の操作を行うことができ、利便性が高まる。
【０１０７】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１０８】
例えば、上記実施形態では、監視カメラシステムに適用された場合を示したが、これに限らず、例えば、カメラを所持する旅行者が旅先等で撮影した画像を見ながら、携帯端末を所持する友達等と会話するといったコミュニケーションシステムにも、本発明は適用可能である。
【産業上の利用可能性】
【０１０９】
本発明は、携帯端末がカメラから転送された画像データを表示する通信システムに有用である。
【符号の説明】
【０１１０】
５  監視カメラシステム
８  宅内
１０  親機
１０ａ  差込口
２０、２０Ａ、２０Ｂ  子機
３０、３０Ａ、３０Ｂ  カメラ
４０、４０Ａ、４０Ｂ、４０Ｃ、４０Ｄ  センサ
５０  スマートフォン
５１  カメラアイコン
５２  スピーカアイコン
５３  ミュートアイコン
５４  切断アイコン
５５  画像
５６  ホームセキュリティアイコン
５７  各種のアイコン
５８  録画アイコン
５９  ログイン画面
６０  無線ルータ
６１  監視カメラアイコン
６３  アイコン群
６４  各種キー群
６５  インターネット
６８  録画中止アイコン
７０  携帯電話機
７１  画像確認アイコン
７２  鳴動停止アイコン
７５  携帯電話網
８０  固定電話機
８５  固定電話網
１０１  固定電話回線Ｉ／Ｆ部
１０３、２４２、３０３、４４２、５０４  記憶部
１０４、２４３、３０４、５０５  音声入出力制御部
１０５、２４４、３０５  操作部
１０６、２４５  表示部
１０７、２４８、４４８  ＤＥＣＴ無線Ｉ／Ｆ部
１０８、２４９、４４９  ＤＥＣＴプロトコル制御部
１０９、２４７、３０９、４４７、５０６  制御部
１１０  呼制御部
１１２  音声ストリーム処理部
１１５  画像メモリ制御部
１１６  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
２５０、５５０  ２次電池
３１２  撮像部
３１３  赤外線センサ
３１５  画像メモリ
３１６  画像メモリ制御部
４４５  表示ランプ
４５０  充電池
４５３  センサ部
５０１  ３Ｇ無線Ｉ／Ｆ部
５０２  ３Ｇプロトコル制御部
５０３  表示／操作部（タッチパネル）
５１１  ＵＳＢ通信Ｉ／Ｆ部
５１４  監視機能制御部
【図１】
2015201832.tif 000003
【図２】
2015201832.tif 000004
【図３】
2015201832.tif 000005
【図４】
2015201832.tif 000006
【図５】
2015201832.tif 000007
【図６】
2015201832.tif 000008
【図７】
2015201832.tif 000009
【図８】
2015201832.tif 000010
【図９】
2015201832.tif 000011
【図１０】
2015201832.tif 000012
【図１１】
2015201832.tif 000013
【図１２】
2015201832.tif 000014
【図１３】
2015201832.tif 000015
【図１４】
2015201832.tif 000016
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
撮像部を有する監視カメラと、
前記監視カメラとＤＥＣＴの通信方式を用いて無線接続し、固定電話網に接続されて他固定電話機と接続し、かつ前記ＤＥＣＴの通信方式を用いてコードレス子機と無線接続する親機と、を備えた監視カメラシステムであって、
前記親機は、前記監視カメラに対して画像の転送を要求し、
前記監視カメラは、前記親機から画像データの転送要求を受けると、前記親機に前記撮像部で得た画像データを前記親機に転送し、
前記親機と接続するとともに、携帯電話網を介して他携帯電話機と接続する携帯電話端末からの画像転送要求により、前記親機は、転送された前記画像データを前記携帯電話端末に転送し、前記監視カメラで得た前記画像データを前記携帯電話端末に表示させる、
監視カメラシステム。
【請求項２】
撮像部を有する監視カメラと、前記監視カメラとＤＥＣＴの通信方式を用いて無線接続し、固定電話網に接続されて他固定電話機と接続し、かつ前記ＤＥＣＴの通信方式を用いてコードレス子機とを無線接続する親機と、を備えた監視カメラシステムにおける監視方法であって、
前記親機は、前記監視カメラに対して画像の転送を要求し、
前記監視カメラは、前記親機から画像データの転送要求を受けると、前記親機に前記撮像部で得た画像データを前記親機に転送し、
前記親機と接続するとともに、携帯電話網を介して他携帯電話機と接続する携帯電話端末からの画像転送要求により、前記親機は、転送された前記画像データを前記携帯電話端末に転送し、前記監視カメラで得た前記画像データを前記携帯電話端末に表示させる、
監視カメラシステムにおける監視方法。
【手続補正３】
【補正対象書類名】明細書
【補正対象項目名】０００１
【補正方法】変更
【補正の内容】
【０００１】
本発明は、カメラとの間でデータの入出力を行う監視カメラシステム及び監視カメラシステムにおける監視方法に関する。
【手続補正４】
【補正対象書類名】明細書
【補正対象項目名】０００７
【補正方法】変更
【補正の内容】
【０００７】
本発明は、従来の問題を解決するために、カメラから転送される画像データを記憶する際、簡易な操作により、使用者が必要としない画像データの記憶を抑制する監視カメラシステム及び監視カメラシステムにおける監視方法を提供することを目的とする。
【手続補正５】
【補正対象書類名】明細書
【補正対象項目名】０００８
【補正方法】変更
【補正の内容】
【０００８】
本発明は、撮像部を有する監視カメラと、前記監視カメラとＤＥＣＴの通信方式を用いて無線接続し、固定電話網に接続されて他固定電話機と接続し、かつ前記ＤＥＣＴの通信方式を用いてコードレス子機と無線接続する親機と、を備えた監視カメラシステムであって、前記親機は、前記監視カメラに対して画像の転送を要求し、前記監視カメラは、前記親機から画像データの転送要求を受けると、前記親機に前記撮像部で得た画像データを前記親機に転送し、前記親機と接続するとともに、携帯電話網を介して他携帯電話機と接続する携帯電話端末からの画像転送要求により、前記親機は、転送された前記画像データを前記携帯電話端末に転送し、前記携帯電話端末は、表示部を有し、前記親機から転送された前記画像データを表示することにより、前記監視カメラで得た動画画像データを前記表示部に表示させる、監視カメラシステムである。
【手続補正６】
【補正対象書類名】明細書
【補正対象項目名】０００９
【補正方法】変更
【補正の内容】
【０００９】
また、本発明は、撮像部を有する監視カメラと、前記監視カメラとＤＥＣＴの通信方式を用いて無線接続し、固定電話網に接続されて他固定電話機と接続し、かつ前記ＤＥＣＴの通信方式を用いてコードレス子機とを無線接続する親機と、を備えた監視カメラシステムにおける監視方法であって、前記親機は、前記監視カメラに対して画像の転送を要求し、前記監視カメラは、前記親機から画像データの転送要求を受けると、前記親機に前記撮像部で得た画像データを前記親機に転送し、前記親機と接続するとともに、携帯電話網を介して他携帯電話機と接続する携帯電話端末からの画像転送要求により、前記親機は、転送された前記画像データを前記携帯電話端末に転送し、前記監視カメラで得た前記画像データを前記携帯電話端末に表示させる、監視カメラシステムにおける監視方法である。
【手続補正７】
【補正対象書類名】明細書
【補正対象項目名】０１０９
【補正方法】変更
【補正の内容】
【０１０９】
本発明は、携帯端末がカメラから転送された画像データを表示する監視カメラシステム及び監視カメラシステムにおける監視方法として有用である。
【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
撮像部を有する監視カメラと、
前記監視カメラとＤＥＣＴの通信方式を用いて無線接続し、固定電話網に接続されて他固定電話機と接続し、かつ前記ＤＥＣＴの通信方式を用いてコードレス子機と接続する親機と、を備えた監視カメラシステムであって、
前記親機は、前記監視カメラに対して画像の転送を要求し、
前記監視カメラは、前記親機から画像データの転送要求を受けると、前記親機に前記撮像部で得た画像データを前記親機に転送し、
前記親機は、無線ルータを介して前記親機と接続するとともに携帯電話網を介して他携帯電話機と接続する携帯電話端末から、前記無線ルータを介して受信される画像転送要求により、前記監視カメラから転送された前記画像データを前記無線ルータを介して前記携帯電話端末に転送し、前記監視カメラで得た前記画像データを前記携帯電話端末に表示させる、
監視カメラシステム。
【請求項２】
撮像部を有する監視カメラと、
前記監視カメラとＤＥＣＴの通信方式を用いて無線接続し、固定電話網に接続されて他固定電話機と接続し、かつ前記ＤＥＣＴの通信方式を用いてコードレス子機と接続する親機と、を備えた監視カメラシステムにおける監視方法であって、
前記親機は、前記監視カメラに対して画像の転送を要求し、
前記監視カメラは、前記親機から画像データの転送要求を受けると、前記親機に前記撮像部で得た画像データを前記親機に転送し、
前記親機は、無線ルータを介して前記親機と接続するとともに携帯電話網を介して他携帯電話機と接続する携帯電話端末から、前記無線ルータを介して受信される画像転送要求により、前記監視カメラから転送された前記画像データを前記無線ルータを介して前記携帯電話端末に転送し、前記監視カメラで得た前記画像データを前記携帯電話端末に表示させる、
監視カメラシステムにおける監視方法。
【手続補正２】
【補正対象書類名】明細書
【補正対象項目名】０００８
【補正方法】変更
【補正の内容】
【０００８】
本発明は、撮像部を有する監視カメラと、前記監視カメラとＤＥＣＴの通信方式を用いて無線接続し、固定電話網に接続されて他固定電話機と接続し、かつ前記ＤＥＣＴの通信方式を用いてコードレス子機と接続する親機と、を備えた監視カメラシステムであって、前記親機は、前記監視カメラに対して画像の転送を要求し、前記監視カメラは、前記親機から画像データの転送要求を受けると、前記親機に前記撮像部で得た画像データを前記親機に転送し、前記親機は、無線ルータを介して前記親機と接続するとともに携帯電話網を介して他携帯電話機と接続する携帯電話端末から、前記無線ルータを介して受信される画像転送要求により、前記監視カメラから転送された前記画像データを前記無線ルータを介して前記携帯電話端末に転送し、前記監視カメラで得た前記画像データを前記携帯電話端末に表示させる、監視カメラシステムである。
【手続補正３】
【補正対象書類名】明細書
【補正対象項目名】０００９
【補正方法】変更
【補正の内容】
【０００９】
また、本発明は、撮像部を有する監視カメラと、前記監視カメラとＤＥＣＴの通信方式を用いて無線接続し、固定電話網に接続されて他固定電話機と接続し、かつ前記ＤＥＣＴの通信方式を用いてコードレス子機と接続する親機と、を備えた監視カメラシステムにおける監視方法であって、前記親機は、前記監視カメラに対して画像の転送を要求し、前記監視カメラは、前記親機から画像データの転送要求を受けると、前記親機に前記撮像部で得た画像データを前記親機に転送し、前記親機は、無線ルータを介して前記親機と接続するとともに携帯電話網を介して他携帯電話機と接続する携帯電話端末から、前記無線ルータを介して受信される画像転送要求により、前記監視カメラから転送された前記画像データを前記無線ルータを介して前記携帯電話端末に転送し、前記監視カメラで得た前記画像データを前記携帯電話端末に表示させる、監視カメラシステムにおける監視方法である。
【手続補正４】
【補正対象書類名】明細書
【補正対象項目名】００８３
【補正方法】変更
【補正の内容】
【００８３】
また、親機１０は、監視カメラ３０Ｂに対し、画像／音声データの転送を要求する（Ｓ１０８Ｂ）。監視カメラ３０Ｂは、画像／音声データの転送要求を受けると、撮像部３１２で撮像した画像データ及びマイク３２８で収音した音声データを親機１０に転送する（Ｓ１０９）。